(57)【要約】【課題】値引き処理における見間違いを防止できるハンドラベラ、印字バンドを提供する。【解決手段】ハンドラベラ１０は、印字する内容の反転形状が形成された印面５１が複数連続して形成された印字バンド５０が装着された値引情報用印字器３０を備え、印字バンド５０の印面５１には、価格の変更に関する数値情報と共に前記数値情報と一対一で対応する図案が同じ印字位置に並べて一体となって配置されている。これにより、値引き処理における見間違いを防止できる。【選択図】図３
2015223748.tif 000002
【特許請求の範囲】
【請求項１】
印字する内容の反転形状が形成された印面が複数連続して形成された印字バンドが装着された値引情報用印字器を備えたハンドラベラであって、
前記印字バンドの印面には、価格の変更に関する数値情報と共に前記数値情報と一対一で対応する図案が同じ印字位置に並べて一体となって配置されていること、
を特徴とするハンドラベラ。
【請求項２】
値引きに関する前記数値情報毎に、異なる図案が対応して割り当てられていること、
を特徴とする請求項１記載のハンドラベラ。
【請求項３】
前記値引情報用印字器と値引後価格用印字器と、を備えたこと、
を特徴とする請求項１または請求項２記載のハンドラベラ。
【請求項４】
印字する内容の反転形状が形成された印面が複数連続して形成されており、ハンドラベラに用いられる印字バンドであって、
前記印面には、価格の変更に関する数値情報と共に前記数値情報と一対一で対応する図案が同じ印字位置に並べて一体となって配置されていること、
を特徴とする印字バンド。
【発明の詳細な説明】
【技術分野】
【０００１】
本発明は、値引き等の価格変更に関する情報をラベルに印字して、これを貼り付けるハンドラベラ、及び、このハンドラベラに用いられる印字バンドに関するものである。
【背景技術】
【０００２】
従来、食品スーパーマーケット等の店舗において、値下げ商品であることを表すために、対象商品に、例えば、「半額」「１０円引き」等と、あらかじめ値下げ情報が印刷された、いわゆるプライマリーラベルを貼り付けることが行われている（例えば、特許文献１参照）。
【先行技術文献】
【特許文献】
【０００３】
【特許文献１】特開２００８−１１１９２６号公報
【発明の概要】
【発明が解決しようとする課題】
【０００４】
あらかじめ値下げ情報が印刷されたプライマリーラベルを用いる手法では、精算時に店員が値引き価格、又は、値引き後の価格を入力する必要があるが、そのときに、店員が値引きに関する数値を見間違えてしまうおそれがあった。特に、未熟者や高齢者等のような場合には、数値を見間違える可能性が高くなる。
このような見間違えを防止するために、ラベルの形状を値引き価格毎に変えて用意し、価格の違いを認識させることが考えられる。例えば、１０円引きは円形のラベルを用い、２０円引きは四角形のラベルを用いる等という使い方である。
【０００５】
しかし、このような手法では、値引き価格毎にラベルを在庫として保有しておく必要があり、運用も面倒であるという問題があった。
【０００６】
本発明の課題は、値引き処理における見間違いを防止できるハンドラベラ、印字バンドを提供することである。
【課題を解決するための手段】
【０００７】
本発明は、以下のような解決手段により、前記課題を解決する。
【０００８】
請求項１の発明は、印字する内容の反転形状が形成された印面が複数連続して形成された印字バンドが装着された値引情報用印字器を備えたハンドラベラであって、前記印字バンドの印面には、価格の変更に関する数値情報と共に前記数値情報と一対一で対応する図案が同じ印字位置に並べて一体となって配置されていること、を特徴とするハンドラベラである。
請求項２の発明は、値引きに関する前記数値情報毎に、異なる図案が対応して割り当てられていること、を特徴とする請求項１記載のハンドラベラである。
請求項３の発明は、前記値引情報用印字器と値引後価格用印字器と、を備えたこと、を特徴とする請求項２または請求項３記載のハンドラベラである。
【０００９】
請求項４の発明は、印字する内容の反転形状が形成された印面が複数連続して形成されており、ハンドラベラに用いられる印字バンドであって、前記印面には、価格の変更に関する数値情報と共に前記数値情報と一対一で対応する図案が同じ印字位置に並べて一体となって配置されていること、を特徴とする印字バンドである。
【発明の効果】
【００１０】
本発明のハンドラベラ、印字バンドによれば、値引き処理における見間違いを防止できる。
【図面の簡単な説明】
【００１１】
【図１】本発明によるハンドラベラ１０の第１実施形態を示す概略側面図である。
【図２】値引情報用印字器３０の内部構成を示す概略縦断面図である。
【図３】印字バンド５０の印面５１を展開して示した概略拡大図である。
【図４】第１実施形態のハンドラベラ１０を用いて印字が行われたラベル７１の印字例を示す図である。
【図５】値引き図案の一例をまとめて示した表である。
【図６】第２実施形態のハンドラベラを用いて印字が行われたラベル７１Ｂの印字例を示す図である。
【発明を実施するための形態】
【００１２】
以下、本発明を実施するための最良の形態について図面等を参照して説明する。
【００１３】
（第１実施形態）
図１は、本発明によるハンドラベラ１０の第１実施形態を示す概略側面図である。
なお、図１を含め、以下に示す各図において、各部の大きさ、形状は、理解を容易にするために、適宜誇張して示している。
また、以下の説明では、具体的な数値、形状、材料等を示して説明を行うが、これらは、適宜変更することができる。
【００１４】
本実施形態のハンドラベラ１０は、本体２０に設けられたグリップ２１と、このグリップ２１と対設された作動レバー２２とを有している。作動レバー２２は、本体２０の機枠に軸２３によって保持されており、この先端部分は、二又状のヨーク２４となっている。このヨーク２４の先端には、値引情報用印字器３０及び値引後価格用印字器４０が固定されている。
【００１５】
本体２０の上方には、ロール状に巻回されたラベル連続体７０が装填される。このラベル連続体７０は、本体２０内に設けられた移送装置を経て値引情報用印字器３０及び値引後価格用印字器４０と対設されたプラテン２６上に導かれ、ラベル連続体７０のラベル７１上に印字が施されるものである。
ラベル連続体７０は、帯状台紙７２上に、所定の間隔のカットラインを介して配列された複数のラベル７１を仮着した構成となっている。帯状台紙７２は、プラテン２６の先端で転向されて本体２０の後方に導き出される。
【００１６】
ラベル７１上への印字は、作動レバー２２を把握することにより、値引情報用印字器３０及び値引後価格用印字器４０がインキ供給装置２８の弾性付勢に抗してインキローラ２９値引情報用印字器３０及び値引後価格用印字器４０の下面に位置する印字バンド５０，６０の印面５１，６１にインキを塗布してプラテン２６上に位置しているラベル７１に当接して行われる。
【００１７】
印字が施されたラベル７１は、本体２０内に設けられた不図示の歯付回転体の回転によって帯状台紙７２が牽引されることにより、この帯状台紙７２から剥離して貼付ローラ２７の下方に繰り出され、本体２０の擦り付け作動によって物品に貼付される。
【００１８】
次に、値引情報用印字器３０及び値引後価格用印字器４０について説明する。値引情報用印字器３０及び値引後価格用印字器４０は、印面５１，６１の内容が異なる他は、略同様な構成をしているので、ここでは、主に値引情報用印字器３０を例に挙げて説明する。
図２は、値引情報用印字器３０の内部構成を示す概略縦断面図である。
値引情報用印字器３０の印字フレーム３１には、印字バンド５０を懸架した見出ホイール３８と回転受部材４５とが装着されている。
なお、本実施形態の値引情報用印字器３０は、通常の印字器のように複数列の印字バンドを備えるものではなく、幅広の印字バンド５０のみが取り付けられている。一方、値引後価格用印字器４０は、従来の印字器と同様に複数列の印字バンドが取り付けられており、印字バンドを移動させて組み合わせることにより、価格の印字を行えるものとなっている。
【００１９】
印字バンド５０は、エンドレス形状（環状形状）に形成されており、その外周面の半分に印面５１が設けられており、他の外周半分に、この印面５１に対応する見出部５２が設けられている。また、印字バンド５０の内周面には、係合凸部５３が設けられている。この係合凸部５３は、見出ホイール３８の外周凹部３８ａと回転受部材４５の係合凹部４５ａとに係脱自在となっている。回転受部材４５は、回転可能な状態で印字フレーム３１に設けられている。不図示の操作部が回転操作されることにより、見出ホイール３８が回転すると、係合凸部５３の係合により印字バンド５０が移動する。
【００２０】
また、印字フレーム３１には、見出窓３２が開口されており、見出部５２を視認可能となっている。見出窓３２から視認可能な位置に見出部５２を合わせることにより、見出部５２と対応する印面５１が印字可能な位置にセットされる。
【００２１】
見出ホイール３８の下部と、回転受部材４５の上部とには、それぞれ弾性支持体４８，４９が備えられている。これら弾性支持体４８，４９は、印字フレーム３１に形成された保持部５５で保持されている。
【００２２】
弾性支持体４８は、２つの突出した突起部４８ａを有している。弾性支持体４８は、それ自体が弾性体により形成されており、この突起部４８ａは、見出ホイール３８の外周凹部３８ａに挿脱自在となっている。弾性支持体４８は、見出ホイール３８の回転に伴い、突起部４８ａが見出ホイール３８の外周凹部３８ａに挿脱することにより、見出ホイール３８の位置を仮保持する。
【００２３】
弾性支持体４９は、ばね４９ａにより回転受部材４５に向かって付勢されており、先端が回転受部材４５の平面当接している。弾性支持体４９は、回転受部材４５が回転すると、当接する平面が変ることにより、回転受部材４５を所定の回転位置に保持する。これにより、回転受部材４５により印面５１を正しい向きに保持することが可能となり、印字を正しく行うことができる。
【００２４】
図３は、印字バンド５０の印面５１を展開して示した概略拡大図である。
印字バンド５０には、複数の印面５１（５１ａ，５１ｂ，５１ｃ・・・）が並べて配置されている。各印面５１には、それぞれ異なる印字する内容の反転形状が形成されている。本実施形態の印面５１には、価格の変更に関する数値情報として、図３の例では、１０円引、２０円引、４０円引が配置されている。また、各印面５１には、この数値と一対一で対応する図案として、図３の例では、▽、□、◇が各数値と共に同じ印字位置に並べて一体となって配置されているので、数値と一対一で対応する図案とを一体で印字バンド５０を回転または回動することができる。
数値情報（値下げ情報）と一対一で対応する図案とを一体で形成した印面を備えた印字バンド５０を回転または回動するようにしたので、数値情報と図案がずれることがなく印字する時点で正確に対応させることができる。
【００２５】
図４は、第１実施形態のハンドラベラ１０を用いて印字が行われたラベル７１の印字例を示す図である。
図４に示す例では、領域７１−１には、値引情報用印字器３０により「▽１０円引」という内容が印字される。領域７１−２は、ラベル７１上にあらかじめ印刷されている領域であり、「表示価格より」という内容が白抜き文字により印刷されている。領域７１−３には、値引後価格用印字器４０により「￥１０５」という値下げ前の価格が印字される。
【００２６】
ここで、領域７１−１に印字される内容について、より詳しく説明する。
この領域７１−１に印字される内容には、図４の例では、「▽」という１つの図案と、「１０円引」という数値情報が並べて配置されている。この「▽」という図案は、「１０円引」であることを図形の形態により表したものである。この図案と、数値情報とは、一対一で対応しており、図案のみでも価格の変更がいくらなのかが判断可能となっている。なお図案は、直観的に形を認識できる形状となっている。
【００２７】
図５は、値引き図案の一例をまとめて示した表である。
このように、値引きに関する数値情報毎に、異なる図案が対応して割り当てられている。したがって、精算時に店員は、これら図案のみによって値引き情報をキャッシュレジスター等に設けられた対応する図案のボタンを押すことにより、数値を見ることなく正確に値引き処理を行うことができる。また、図案に対応したキャッシュレジスターを用いない場合であっても、図案により値引き情報を把握することができるので、数値の見間違いによるミスを防止できる。
なお、図５に示した例では、白抜きの図案は、「円引き」であることを示し、黒塗りの図案は、「％引き」であることを示している。このように形状のみならず、白抜きや黒塗り等を組み合わせることにより、値引き処理における見間違いを防止する効果を高めることができる。
【００２８】
以上説明したように、本実施形態によれば、ハンドラベラ１０は、価格変更に関する数値情報と一対一で対応する図案を同じ印字位置に並べて一体となって配置した印字バンド５０を用いるので、図案と数値情報とを並べて印字することができる。
よって、図案を見ただけで価格変更に関する情報を把握でき、見間違いによるミスを防止できる。特に、図案に対応したボタンを備えたキャッシュレジスターと組み合わせて用いることができれば、数値を見ずに図案を見ただけで間違いなく値引き処理を行うことができる。これは、例えば、高齢者のように視力の低下した店員が精算処理を行う場合にも、間違いを防止できる上に、目を凝らして値下げラベルを見る必要がなくなり、店員の疲労を低減する効果も期待できる。
また、ラベルの印字を行うときにも、図案と数値情報との組み合せを間違えることもなくなり、簡単に、かつ、正確に価格変更を示すラベルを印字できる。
さらに、例えば、１０円引のラベルと２０円引のラベルとが必要である場合のように、複数種類の値引きラベルが必要な場合であっても、その都度印字を行うことにより、簡単に複数種類の値引きラベルを必要な数だけ作成できる。よって、値引き価格毎にラベルを在庫として保有する必要もなく、運用を簡易なものとすることができる。
さらに、値引情報用印字器と値引後価格用印字器と、を備えたので、図案に対応する数値情報と値引後価格情報とを同時にラベルに印刷でき図案、数値情報および値引後価格を間違えることなく印字することができる。
また図案は、記号あるいはオリジナルのマークとすることができる。
【００２９】
（第２実施形態）
図６は、第２実施形態のハンドラベラを用いて印字が行われたラベル７１Ｂの印字例を示す図である。
第２実施形態のハンドラベラは、印字器が３つ並べて設けられており、その内の中央に配置される印字器に、第１実施形態の印字バンド５０と同様なものが配置されている。
第２実施形態のラベル７１Ｂの印字例では、領域７１Ｂ−１は、ラベル７１Ｂ上にあらかじめ印刷されている領域であり、「通常価格」という内容が印刷されている。領域７１Ｂ−２には、１つ目の印字器により「￥１０５」という値下げ前の価格が印字される。領域７１Ｂ−３は、ラベル７１Ｂ上にあらかじめ印刷されている領域であり、「特別値引き」という内容が白抜き文字により印刷されている。領域７１Ｂ−４には、印字バンド５０と同様な印字バンドを備える２つ目の印字器により「▽１０円引」という内容が印字される。領域７１Ｂ−５は、ラベル７１Ｂ上にあらかじめ印刷されている領域であり、「値引き後価格」という内容が印刷されている。領域７１Ｂ−６には、３つ目の印字器により「￥９５」という値下げ後の価格が印字される。
【００３０】
以上説明したように、第２実施形態では、印字器を３つ並べて配置した。そして、値引き後価格の印字も可能としている。よって、第２実施形態によれば、第１実施形態と同様な効果に加えて、値引き後価格を一目見て分かるようにすることができる。よって、値引きの数値情報の見間違えを防止する効果をさらに高めることができる。
【００３１】
（変形形態）
以上説明した実施形態に限定されることなく、種々の変形や変更が可能であって、それらも本発明の範囲内である。
【００３２】
各実施形態において、図案と、数値情報を並べて配置した例を挙げて説明したが、図案と数値情報との間隔を所定の間隔を有するように設けることができる。これにより図案を鮮明に直観的に理解することができる。
また、一つの図案を数値情報に並べて配置したので、図案を直観的に理解することができるとともに、レジでの操作を簡略化することができる。
【００３３】
各実施形態において、ハンドラベラは、印字器を複数有した多段型のハンドラベラである例を挙げて説明した。これに限らず、例えば、印字器が１つだけ設けられており一段にのみ印字を行えるハンドラベラであってもよい。
【００３４】
各実施形態において、「▽１０円引」の「円」および「引」を印面に設けている例を挙げて説明した。これに限らず、例えば、「円」と「引」または「引」のみの文字は、あらかじめラベル上に印刷されているようにしてもよい。
【００３５】
なお、各実施形態及び変形形態は、適宜組み合わせて用いることもできるが、詳細な説明は省略する。また、本発明は以上説明した各実施形態によって限定されることはない。
【符号の説明】
【００３６】
１０    ハンドラベラ
２０    本体
２１    グリップ
２２    作動レバー
２３    軸
２４    ヨーク
２６    プラテン
２７    貼付ローラ
２８    インキ供給装置
２９    インキローラ
３０    値引情報用印字器
３１    印字フレーム
３２    見出窓
３８    見出ホイール
３８ａ  外周凹部
４０    値引後価格用印字器
４５    回転受部材
４５ａ  係合凹部
４８    弾性支持体
４８ａ  突起部
４９    弾性支持体
４９ａ  ばね
５０    印字バンド
５１    印面
５２    見出部
５３    係合凸部
５５    保持部
６０    印字バンド
６１    印面
７０    ラベル連続体
７１    ラベル
７１Ｂ  ラベル
７２    帯状台紙
【図１】
2015223748.tif 000003
【図２】
2015223748.tif 000004
【図３】
2015223748.tif 000005
【図４】
2015223748.tif 000006
【図５】
2015223748.tif 000007
【図６】
2015223748.tif 000008